(57)【要約】【課題】食事内容の入力を的確かつ容易に行える食事管理システムを得る。【解決手段】食事記録を入力することにより栄養素、食品群などの栄養摂取状況を計算する食事管理システムにおいて、入力画面を表示する表示装置に所定の入力画面を表示する表示制御手段を備え、前記表示制御手段により画面表示を制御される食事内容入力画面で最初に表示される画面表示を、任意に設定できるよく利用するメニュー４０とし、よく利用するメニューには任意に設定できる料理セットを含むとともに、料理セット以外の食事内容の入力も可能とした。【選択図】図２
2007157090.tif 000002
【特許請求の範囲】
【請求項１】
食事記録を入力することにより栄養摂取状況を集計する食事管理システムにおいて、表示装置に食事内容入力画面を含む所定の入力画面を表示する表示制御手段を備え、前記表示制御手段により画面表示を制御される食事内容入力画面で最初に表示される画面表示を、任意に設定できるよく利用するメニューを表示するものとし、前記よく利用するメニューには任意に設定できる料理セットを含むとともに、料理セット以外の食事内容の入力も可能としたことを特徴とする食事管理システム。
【請求項２】
前記よく利用するメニューは、利用者が文字順，利用回数順，追加順による並べ替えを含む並べ替え操作を行えるようにしたことを特徴とする請求項１に記載の食事管理システム。
【請求項３】
前記よく利用するメニューは、利用者が追加，削除による入れ替えを含む入れ替え操作を行えるようにしたことを特徴とする請求項１または請求項２に記載の食事管理システム。
【請求項４】
前記よく利用するメニューの追加，削除による入れ替えを含む入れ替え操作は、利用頻度をベースとしたガイダンス機能により入力支援されることを特徴とする請求項３に記載の食事管理システム。
【請求項５】
前記料理セットは、利用者が追加，削除による入れ替えを含む入替え操作を行えるようにしたことを特徴とする請求項１から請求項４までのいずれかに記載の食事管理システム。
【請求項６】
前記料理セットの追加，削除による入れ替えを含む入替え操作は、利用者が自分が喫食した履歴から選択を行えるようにしたことを特徴とする請求項５に記載の食事管理システム。
【請求項７】
前記料理セットの追加，削除による入れ替えを含む入替え操作は、利用頻度をベースとしたガイダンス機能により入力支援されるようにしたことを特徴とする請求項５に記載の食事管理システム。
【発明の詳細な説明】
【技術分野】
【０００１】
この発明は、食事管理システム、特に、個人あるいは栄養士などの専門家が、食事記録から栄養素、食品群などの栄養摂取状況を算出する際に利用する食事管理システムに関するものである。
【背景技術】
【０００２】
個人あるいは栄養士などの専門家向けに、食事記録をコンピュータに入力することにより栄養素、食品群などの栄養摂取状況を自動計算し算出結果を表やグラフで表示したり、必要エネルギー摂取量や各種栄養素の必要摂取量と比較し健康指導に利用する食事管理システムは既に広く利用されている。
【０００３】
数千種の食事メニューの中から食事内容を階層メニューなどで検索し入力することは、食事の知識が必要で負担のかかる作業であり、この入力の負担を軽減するため、料理セットを作成する手段を設け、料理セットをメニュー階層の上部に置くことにより入力が容易になる技術が既に提示されている（例えば、特許文献１参照）。
【０００４】
【特許文献１】特開平６−２６６６９４号公報
【発明の開示】
【発明が解決しようとする課題】
【０００５】
食事内容の入力を負担なく行えるようにするため、従来技術では、料理セットデータを利用するので、事前に料理セットデータを作成する作業が新たに発生し料理セットが効果的に利用されない、また、料理セットを利用できない組合せでは入力負担が軽減されないという問題があった。
【０００６】
この発明は、上記のような課題を解決するためになされたものであり、食事内容の入力を的確かつ容易に行える食事管理システムを得ることを目的とするものである。
【課題を解決するための手段】
【０００７】
この発明における食事管理システムでは、食事記録を入力することにより栄養摂取状況を集計する食事管理システムにおいて、表示装置に食事内容入力画面を含む所定の入力画面を表示する表示制御手段を備え、前記表示制御手段により画面表示を制御される食事内容入力画面で最初に表示される画面表示を、任意に設定できるよく利用するメニューを表示するものとし、前記よく利用するメニューには任意に設定できる料理セットを含むとともに、料理セット以外の食事内容の入力も可能としたものである。
【発明の効果】
【０００８】
この発明によれば、食事内容の入力を的確かつ容易に行える食事管理システムを得ることができる。
【発明を実施するための最良の形態】
【０００９】
実施の形態１．
この発明による実施の形態１を図１から図５までについて説明する。図１は実施の形態１における食事記録画面を含む構成を示すブロック図である。図２は実施の形態１におけるよく利用するメニュー画面を含む構成を示すブロック図である。図３は実施の形態１における食事メニューの検索画面を含む構成を示すブロック図である。図４は実施の形態１における動作を示すフローチャートである。
【００１０】
図１は、この発明による実施の形態１の食事記録における、食事記録画面を含む画面，データおよび手段の構成を示したブロック図で、記録日を選択するカレンダー３１，朝食／昼食／夕食の記録が表示されるエリア３２，食事記録から得られる分析結果を表示するエリア３３を有する食事記録画面３０と、データ管理手段１０と、データ分析手段１１と、入力履歴データ２０を格納する記憶手段１３とから構成される。
【００１１】
図２は、この発明による実施の形態１の食事記録において、よく利用するメニューに関する画面表示を含む画面，データ，手段の構成を示したブロック図で、よく利用するメニュー表示エリア４２，食事メニュー検索ボタン表示４３，よく利用するメニューの編集ボタン表示４４，料理セットの編集ボタン表示４５を有するよく利用するメニュー画面４０と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００１２】
図３は、この発明による実施の形態１の食事記録において、従来から行っている食事メニュー検索に関する画面表示を含む画面，データ，手段の構成を示したブロック図で、検索種類および並べ替えを行うボタン表示５１、検索名称など検索条件を指定するエリア５２、検索結果を表示し食事記録に追加選択するエリア５３とを有する食事メニュー検索画面５０と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００１３】
ここで、この発明による実施の形態１における食事管理システムの表示装置において食事記録画面３０等の画面表示を制御する画面表示制御手段（図示せず）やデータ管理手段１０およびデータ分析手段１１ならびに入力履歴データ２０などのデータを格納する記憶手段１３等のデータ記憶手段は、ＣＰＵおよびメモリならびにキーボードやマウスなどの入出力手段およびＣＲＴ等の表示装置やハードディスクなどの記憶装置を含む周辺機器で構成されるハードウエアと、これれのハードウエアを食事管理システムとして動作させるプログラムからなるソフトウエアとを備えた汎用パーソナルコンピュータあるいはサーバ装置で構成されるものである。
【００１４】
次に、動作について説明する。
図４は、この発明の食事記録の動作を説明するフローチャートである。以下フローチャートに基づき説明する。
食事記録を開始すると、図１に示すカレンダー３１にて、記録日が選択される（ステップＳ１０）。
次に、朝食／昼食／夕食に記録が表示されるエリア３２で、朝食／昼食／夕食のどれかが選択されると（ステップＳ１１）、食事記録入力において最初に表示される画面表示となり、図２に示すよく利用するメニュー画面４０に遷移する。よく利用するメニュー表示エリア４２に、データ検索手段１２により、よく利用するメニューデータ２１および料理セットデータ２２を参照し、よく利用するメニューおよび料理セットが表示される。
次に、よく利用するメニュー表示エリア４２に、対象メニューがある場合（ステップＳ１２）、該当する食事メニュー４２が選択された状態で、食事記録に追加ボタン表示が選択されると、データ管理手段１０により、入力履歴データ２０に追加される。
対象メニューがない場合は（ステップＳ１３）、食事メニュー検索ボタン表示４３が選択され、食事メニュー検索画面５０（図３）が表示される。
検索５１および検索条件５２を利用し検索された後、検索結果５３より食事メニューが選択され食事記録に追加ボタン表示が選択されると、データ管理手段１０により入力履歴データ２０に追加される。食事内容を全て選択完了する（ステップＳ１５）まで、ステップＳ１２〜Ｓ１４が繰り返される。
【００１５】
次に、効果について説明する。
通常利用の場合は、よく利用するメニューで選択することで食事内容の選択が可能なため、従来から行っている食事メニュー検索画面５０を表示し検索後食事記録に追加する工程を省略することができ、食事の入力が容易に行うことができる。また、よく利用するメニューには、複数の料理メニューを組み合わせた料理セットを含むことができ、既に料理セットに登録されていれば、１回の選択で登録することができる。
登録した結果は、データ分析手段１１により計算され、分析結果を表示するエリア３３に表示することができる。個々の食事内容から食品や量を分析し、食品を追加削除したり、量を修正したりする機能と組合せることにより分析の精度を向上させることもできる。
【００１６】
そして、この発明による実施の形態１では、図２に示すように、よく利用するメニューに、よく利用するメニュー表示エリア４２における表示を並べ替える並べ替えボタン表示４１を加えた構成が含まれている。
並べ替えボタン表示４１の所望箇所をマウスによりクリック操作をすることなどによって選択すると、データ検索手段１２により、入力履歴データ２０を含めて検索し、よく利用するメニュー表示エリア４２に表示するよく利用するメニューデータの表示順序を、文字列，利用回数，追加順などに並べ替えることが可能となる。並べ替えの内容は、文字順，利用回数順，追加順などであるがこれに限定されるものではない。また、検索結果は、昇順，降順指定することができ指定したとおりに表示できる。
【００１７】
以上のように動作するため、よく利用するメニュー表示エリア４２に表示するデータの表示順序が、指定順に並ぶことにより視認性が向上する。
【００１８】
（１Ａ）この発明による実施の形態１によれば、食事記録を入力することにより栄養素や食品群などの栄養摂取状況を集計する食事管理システムにおいて、表示装置に食事記録入力画面を含む所定の入力画面を表示する表示制御手段を備え、食事記録入力画面の最上位をよく利用するメニュー４０（図２）を表示するものとして、前記表示制御手段により画面表示を制御される食事内容入力画面で最初に表示される画面表示を、任意に設定できるよく利用するメニュー４０（図２）を表示するものとし、よく利用するメニュー４０（図２）には任意に設定できる料理セットを含むとともに、料理セット以外の食事内容の階層メニューによる入力も可能としたので、食事内容の入力を的確かつ容易に行える食事管理システムを得ることができる。
【００１９】
（１Ｂ）この発明による実施の形態１によれば、前記（１Ａ）項に示される構成において、前記よく利用するメニュー４２は、利用者がボタン表示４１を選択することによって文字順，利用回数順，追加順による並べ替えを含む並べ替え操作を行えるようにしたので、食事内容の入力を的確かつ容易に行えるとともに、よく利用するメニューについての視認性を向上し円滑に利用できる食事管理システムを得ることができる。
【００２０】
実施の形態２．
この発明の実施の形態２を図５から図８に基づいて説明する。図５は実施の形態２におけるよく利用するメニューの編集画面を含む構成を示すブロック図である。図６は実施の形態２におけるよく利用するメニューの編集−ガイダンス編集画面を含む構成を示すブロック図である。図７は実施の形態２におけるよく利用するメニューの編集−食事メニュー検索画面を含む構成を示すブロック図である。図８は実施の形態２における動作を示すフローチャートである。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００２１】
図５は、この発明による実施の形態２のよく利用するメニューの編集において、よく利用するメニューの編集画面表示を含む画面，データ，手段の構成を示したブロック図で、よく利用するメニュー表示エリア６２，追加ボタン６３，ガイダンス編集ボタン６４を有するよく利用するメニューの編集画面６０と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００２２】
図７は、この発明のよく利用するメニューの編集において、食事メニュー検索に関する画面，データ，手段の構成を示したブロック図で、検索種類および並び替えを行うボタン表示８１，検索名称など検索条件を指定するエリア８２，検索結果を表示しよく利用するメニューに追加ボタン表示を選択するエリア８３を有するよく利用するメニューの編集−食事メニュー検索画面８０と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００２３】
次に、よく利用するメニューの編集に係る動作について説明する。
図８は、この発明のよく利用するメニュー編集の動作を説明するフローチャートである。以下フローチャートに基づき説明する。
よく利用するメニュー編集を開始すると、よく利用するメニューの編集画面６０が表示される。よく利用するメニュー表示エリア６２にデータ検索手段１２により、よく利用するメニューデータ２１および料理セットデータ２２を参照し、よく利用するメニューおよび料理セットが表示される。
最初に、削除／追加／ガイダンス編集が選択される（ステップＳ２０）。追加の場合は（ステップＳ２１）、追加ボタン表示６３が選択され、よく利用するメニューの編集−食事メニュー検索画面８０が表示される。検索８１および検索条件８２をもとに、データ検索手段１２により、履歴データ２０，食事メニューデータ２３から検索され、検索結果８３が表示される。
検索結果が選択され、よく利用するメニューに追加ボタン表示が選択されると、データ管理手段１０により、よく利用するメニューデータ２１に追加される。削除する場合は（ステップＳ２２）、削除する食事メニューがよく利用するメニュー表示エリア６２で選択され、削除ボタン表示が選択されると、データ管理手段１０により、よく利用するメニューデータ２１から削除される。よく利用するメニューの編集が全て完了するまで、ステップＳ２０〜Ｓ２２が繰り返される（ステップＳ２５）。
なお、ステップＳ２３およびステップＳ２４については、後述するので、ここでは説明していない。
【００２４】
次に、効果について説明する。
以上のように動作するため、よく利用するメニューの入替えが可能となり、利用当初はよく利用するメニューの適用率が低い利用者でも、よく利用するメニューの入替えに従い、よく利用するメニューの適用率が向上する。
また、この機能を利用して、栄養士がお勧めメニューをよく利用するメニューに登録し、お勧めメニューをよく利用するよう食事指導することで、栄養士による食事指導の効果も期待できる。
【００２５】
そして、この発明による実施の形態２では、よく利用するメニューの編集において、ガイダンス機能による入力支援を行うことができる。
図６は、この発明のよく利用するメニューの編集において、ガイダンス編集に関する画面，データ，手段の構成を示したブロック図で、削除候補表示エリア７１，追加候補表示エリア７２を有するよく利用するメニューの編集−ガイダンス編集画面７０と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００２６】
次に、よく利用するメニュー編集画面においてガイダンス機能による入力支援を行う場合の動作について説明する。
よく利用するメニュー編集画面において、ガイダンス編集が選択された場合、よく利用するメニューの編集−ガイダンス編集画面７０が表示され、入力履歴データ２０をもとに、データ検索手段１２により、利用頻度の最も低い食事メニューが、削除候補７１に表示される。同様に、利用頻度の最も高い食事メニューが、追加候補７２に表示される。
削除の場合（ステップＳ２３）、削除候補を選択した状態で削除ボタン表示が選択されると、データ管理手段１０により、よく利用するメニューデータ２１からデータが削除される。
追加の場合（ステップＳ２４）、追加候補を選択した状態で追加ボタン表示が選択されると、データ管理手段１０により、よく利用するメニューデータ２１にデータが追加される。
【００２７】
以上のように動作するため、よく利用するメニューの入替えを効果的かつ効率的に実施することができる。
【００２８】
（２Ａ）この発明による実施の形態２によれば、実施の形態１における前記（１Ａ）項または前記（１Ｂ）項において、前記よく利用するメニュー４０（図２）は、利用者が追加，削除による入れ替えを含む入れ替え操作を行えるようにしたので、食事内容の入力を的確かつ容易に行えるとともに、よく利用するメニューの活用を行える食事管理システムを得ることができる。
【００２９】
（２Ｂ）この発明による実施の形態２によれば、前記（２Ａ）項に示す構成において、前記よく利用するメニュー４０（図２）の追加，削除による入れ替えを含む入れ替え操作は、利用頻度をベースとしたガイダンス機能により入力支援されるようにしたので、食事内容の入力を的確かつ容易に行えるとともに、よく利用するメニューの入れ替えを効果的がつ効率的に行える食事管理システムを得ることができる。
【００３０】
実施の形態３．
この発明による実施の形態３を図９から図１２までに基づいて説明する。図９は実施の形態３における料理セットの編集画面を含む構成を示すブロック図である。図１０は実施の形態３における料理セットの編集画面−ガイダンス編集を含む構成を示すブロック図である。図１１は実施の形態３における料理セットの編集−食事メニュー検索画面を含む構成を示すブロック図である。図１２は実施の形態３における動作を示すフローチャートである。
この実施の形態３において、ここで説明する特有の構成以外の構成については、先に説明した実施の形態１または実施の形態２における構成と同一の構成内容を具備し、同様の作用を奏するものである。図中、同一符号は同一または相当部分を示す。
【００３１】
図９は、この発明による実施の形態３の料理セットの編集における、料理セットの編集画面を含む画面，データ，手段の構成を示したブロック図で、料理セット表示エリア９２，追加ボタン９３，ガイダンス編集ボタン９４を有する料理セットの編集画面９０と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００３２】
図１１は、この発明の料理セットの編集において、食事メニュー検索に関する画面，データ，手段の構成を示したブロック図で、検索種類および並び替えを行うボタン表示１１１，検索名称など検索条件を指定するエリア１１２，食事メニュー検索結果を表示し料理セットの要素に追加ボタン表示を選択するエリア１１３，料理セットに選択中の食事メニューを表示し料理セットに追加ボタン表示を選択するエリア１１４を有する料理セットの編集−食事メニュー検索画面１１０と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００３３】
次に、料理セットの編集に係る動作について説明する。
図１２は、この発明による実施の形態３における料理セットの編集の動作を説明するフローチャートである。以下フローチャートに基づき説明する。
料理セットの編集を開始すると、料理セットの編集画面９０が表示される。料理セット表示エリア９２には、データ検索手段１２により、料理セットデータ２２を参照し、料理セットの内容が表示される。最初に削除／追加／ガイダンス編集が選択される（ステップＳ３０）。
追加の場合（ステップＳ３１）、追加ボタン表示９３が選択され、よく利用するメニューの編集−食事メニュー検索画面１１０が表示される。検索１１１および検索条件１１２により、データ検索手段１２によって、食事メニューデータ２３が検索され、検索結果１１３を表示する。検索結果から食事メニューが選択され、料理セットの要素として追加ボタン表示が選択されると、選択中の食事メニューリスト１１４に追加される。料理セットに追加ボタン表示１１４が選択されると、データ管理手段１０により、料理セットデータ２２に追加される。
削除の場合（ステップＳ３２）、削除対象の食事メニューがよく利用するメニュー表示エリア９２で選択された状態で、削除ボタン表示が選択されると、データ管理手段１０により、料理セットデータ２２から削除される。よく利用するメニューの編集（ステップＳ３５）を全て完了するまで、ステップＳ３０〜Ｓ３２を繰り返す。
なお、ステップＳ３３およびステップＳ３４については、後述するので、ここでは説明していない。
【００３４】
以上のように動作するため、料理セットの入替えが可能となり、利用当初は料理セットの適用率が低い利用者でも、料理セットの入替えに従い、料理セットの適用率が向上する。
また、この機能を利用して、栄養士がお勧め料理セットを料理セットに登録し、お勧め料理セットをよく利用するよう食事指導することで、栄養士による食事指導の効果も期待できる。
【００３５】
そして、この発明の実施の形態３では、料理セットの入れ替えを利用者の喫食した履歴から選択して行うことができる構成が含まれている。
【００３６】
この発明による実施の形態３において、検索種類および並び替えを行うボタン１１１で、利用回数が指定された場合、料理メニューの検索結果を表示し料理セットの要素に追加ボタン表示を選択するエリア１１３に、入力履歴データ２０をもとに、データ検索手段１２により、単品の料理メニューだけでなく、１回の食事で摂取した食事内容の組合せも表示可能とする構成を取ることもできる。
【００３７】
次に、料理セットの入れ替えを利用者の喫食した履歴から選択して行う動作について説明する。
よく利用するメニューの編集−食事メニュー検索画面１１０を表示し、検索種類および並べ替えを行うボタン表示１１１で、利用回数順を指定されると、料理メニューの検索結果を表示し料理セットの要素に追加ボタン表示を選択するエリア１１３に、過去に喫食した食事の組み合わせが、回数順に表示される。検索結果から食事の組合せを選択されると、よく利用するメニューに追加される。
【００３８】
以上のように動作するため、料理セットの入替えを効果的かつ効率的に実施することができる。
【００３９】
さらに、この発明による実施の形態３では、料理セットの入れ替えを利用頻度をベースにしたガイダンス機能により行うことができる構成が含まれている。
【００４０】
図１０は、この発明の料理セットの編集において、ガイダンス編集に関する画面、データ、手順の構成を示したブロック図で、削除候補表示エリア１０１，追加候補表示エリア１０２を有する料理セットの編集−ガイダンス編集画面１００と、データ管理手段１０と、データの抽出や並べ替えを行う検索手段１２と、入力履歴データ２０，よく利用するメニューデータ２１，料理セットデータ２２，食事メニューデータ２３を格納する記憶手段１３とから構成される。
【００４１】
次に、料理セットの入れ替えを利用頻度をベースにしたガイダンス機能により行う動作について説明する。
料理セットの編集画面において、ガイダンス編集が選択された場合、料理セットの編集−ガイダンス編集画面１００が表示され、入力履歴データ２０をもとに、データ検索手段１２により、利用頻度の最も低い料理セットが、削除候補１０１に表示される。同様に、１回の食事で利用頻度の最も高い食事内容の組合せが、追加候補１０２に表示される。削除の場合（ステップＳ３３）、削除候補から料理セットが選択された状態で削除ボタン表示が選択されると、データ管理機能１０により、料理セットデータ２２から削除される。
追加の場合（ステップＳ３４）、追加候補から料理に組合せが選択された状態で追加ボタン表示が選択されると、データ管理機能１０により、料理セットデータ２２に追加される。
【００４２】
以上のように動作するため、料理セットの入替えを効果的かつ効率的に実施することができる。
【００４３】
（３Ａ）この発明による実施の形態３によれば、実施の形態１および実施の形態２における前記（１Ａ）から前記（２Ｂ）項までのいずれかに示す構成において、前記料理セットは、利用者が追加，削除による入れ替えを含む入替え操作を行えるようにしたので、食事内容の入力を的確かつ容易に行えるとともに、料理セットの活用を行える食事管理システムを得ることができる。
【００４４】
（３Ｂ）この発明による実施の形態３によれば、前記（３Ａ）項に示す構成において、前記料理セットの追加，削除による入れ替えを含む入替え操作は、利用者が自分が喫食した履歴から選択を行えるようにしたので、食事内容の入力を的確かつ容易に行えるとともに、料理セットの入替えを喫食履歴により効果的かつ効率的に行える食事管理システムを得ることができる。
【００４５】
（３Ｃ）この発明による実施の形態３によれば、前記（３Ａ）項に示す構成において、前記料理セットの追加，削除による入れ替えを含む入替え操作は、利用頻度をベースとしたガイダンス機能により入力支援されるようにしたので、食事内容の入力を的確かつ容易に行えるとともに、料理セットの入替えをガイダンス機能により効果的かつ効率的に行える食事管理システムを得ることができる。
【００４６】
この発明による実施の形態では、料理セットを利用できない組合せでも容易に料理内容を選択でき、料理セットを利用できる場合は更に容易に料理内容を選択でき、また、料理セットを簡単に作成できることを目的とするものである。
【００４７】
この発明実施の形態においては、食事記録を入力することにより栄養素、食品群などの栄養摂取状況を計算する食事管理システムにおいて、入力画面の最上位を、任意に設定できるよく利用するメニューとし、よく利用するメニューには任意で設定できる料理セットを含み、階層メニューからの選択も可能とする。よく利用するメニューは、利用者が文字順、利用回数順、追加順などに並べ替え可能とする。よく利用するメニューは、利用者が追加、削除など入替え可能とする。よく利用するメニューの追加、削除など入替えは、利用頻度をベースとしたガイダンス機能により入力支援される。料理セットは、利用者が追加、削除など入替え可能とする。料理セットの追加、削除など入替えは、利用者が自分が喫食した履歴から選択が可能とする。料理セットの追加、削除など入替えは、利用頻度をベースとしたガイダンス機能により入力支援されることを特徴とする。
【００４８】
この発明によれば、入力画面の最上位を、任意に設定できるよく利用するメニューとし、よく利用するメニューには任意で設定できる料理セットを含み、階層メニューからの選択も可能とし、よく利用するメニューは、利用者が文字順、利用回数順、追加順などに並べ替え可能としたので、料理セットを利用できない場合でも、通常の場合は数千種の料理メニューを検索することなく容易に選択できる。また、よく利用するメニューは、利用者が追加、削除など入替え可能とし、よく利用するメニューの追加、削除など入替えは、利用頻度をベースとしたガイダンス機能により入力支援されるとしたので、よく利用するメニューを最適に割り当てられる。また、料理セットは、利用者が追加、削除など入替え可能とし、料理セットの追加、削除など入替えは、利用者が自分が喫食した履歴から選択が可能とし、料理セットの追加、削除など入替えは、利用頻度をベースとしたガイダンス機能により入力支援されるとしたので、料理セットの作成や入替えが容易となる。
【００４９】
この発明による実施の形態においては、次の（１）項から（７）項までに示される構成が提示されている。
【００５０】
（１）食事記録を入力することにより栄養素、食品群などの栄養摂取状況を計算する食事管理システムにおいて、入力画面の最上位を、任意に設定できるよく利用するメニューとし、よく利用するメニューには任意に設定できる料理セットを含み、階層メニューからの選択も可能な食事管理システム。
【００５１】
（２）食事記録を入力することにより栄養素、食品群などの栄養摂取状況を計算する食事管理システムにおいて、上記（１）項で、よく利用するメニューは、利用者が文字順，利用回数順，追加順などに並べ替えが可能な食事管理システム。
【００５２】
（３）食事記録を入力することにより栄養素、食品群などの栄養摂取状況を計算する食事管理システムにおいて、上記（１）項で、よく利用するメニューは、利用者が追加，削除など入替えが可能な食事管理システム。
【００５３】
（４）食事記録を入力することにより栄養素、食品群などの栄養摂取状況を計算する食事管理システムにおいて、上記（３）項で、よく利用するメニューの追加，削除など入替えは、利用頻度をベースとしたガイダンス機能により入力支援される食事管理システム。
【００５４】
（５）食事記録を入力することにより栄養素、食品群などの栄養摂取状況を計算する食事管理システムにおいて、上記（１）項で、料理セットは、利用者が追加，削除など入替えが可能な食事管理システム。
【００５５】
（６）食事記録を入力することにより栄養素、食品群などの栄養摂取状況を計算する食事管理システムにおいて、上記（５）項で、料理セットの追加、削除など入替えは、利用者が自分が喫食した履歴から選択が可能な食事管理システム。
【００５６】
（７）食事記録を入力することにより栄養素、食品群などの栄養摂取状況を計算する食事管理システムにおいて、上記（６）項で、料理セットの追加、削除など入替えは、利用頻度をベースとしたガイダンス機能により入力支援される食事管理システム。
【図面の簡単な説明】
【００５７】
【図１】この発明による実施の形態１における食事記録画面を含む構成を示すブロック図である。
【図２】この発明による実施の形態１におけるよく利用するメニュー画面を含む構成を示すブロック図である。
【図３】この発明による実施の形態１における食事メニューの検索画面を含む構成を示すブロック図である。
【図４】この発明による実施の形態１における動作を示すフローチャートである。
【図５】この発明による実施の形態２におけるよく利用するメニューの編集画面を含む構成を示すブロック図である。
【図６】この発明による実施の形態２におけるよく利用するメニューの編集−ガイダンス編集画面を含む構成を示すブロック図である。
【図７】この発明による実施の形態２におけるよく利用するメニューの編集−食事メニュー検索画面を含む構成を示すブロック図である。
【図８】この発明による実施の形態２における動作を示すフローチャートである。
【図９】この発明による実施の形態３における料理セットの編集画面を含む構成を示すブロック図である。
【図１０】この発明による実施の形態３における料理セットの編集−ガイダンス編集画面を含む構成を示すブロック図である。
【図１１】この発明による実施の形態３における料理セットの編集−食事メニュー編集画面を含む構成を示すブロック図である。
【図１２】この発明による実施の形態３における動作を示すフローチャートである。
【符号の説明】
【００５８】
１０  データ管理手段、１１  分析手段、１２  検索手段、１３  記憶手段、２０  入力履歴データ、２１  よく利用するメニューデータ、２２  料理セットデータ、２３  食事メニューデータ、３０  食事記録画面、３１  カレンダー、３２  記録表示エリア、３３  分析結果表示エリア、４０  よく利用するメニュー画面、４２  よく利用するメニュー表示エリア、４３  食事メニュー検索ボタン  ４４  よく利用するメニューの編集ボタン、４５  料理セットの編集ボタン。
【図１】
2007157090.tif 000003
【図２】
2007157090.tif 000004
【図３】
2007157090.tif 000005
【図４】
2007157090.tif 000006
【図５】
2007157090.tif 000007
【図６】
2007157090.tif 000008
【図７】
2007157090.tif 000009
【図８】
2007157090.tif 000010
【図９】
2007157090.tif 000011
【図１０】
2007157090.tif 000012
【図１１】
2007157090.tif 000013
【図１２】
2007157090.tif 000014